(57)【要約】【課題】電源回路から電力消費回路に過電流が流れる場合に、直ちに電力消費回路に流れる過電流大電流を遮断するとともに、不具合の発生していない電力消費回路を動作させたまま不具合の発生した電力消費回路を正常に動作する電力消費回路に交換できる電力供給システムを提供する。【解決手段】第１の回路基板と、複数の第２の回路基板と、それらを接続するコネクタとを備える電力供給システムであって、前記第１の回路基板は、電源回路と、前記電源回路から供給される電力を前記第２の回路基板に供給するとともに、所定の信号を発生させる電子ヒューズと、を備え、前記第２の回路基板は、前記電源回路から供給される電力を消費する電力消費回路と、前記所定の信号に応じて、第１の接続状態から第２の接続状態に変化した場合に前記第２の接続状態を保持するスイッチと、を備える電力供給システム。【選択図】図１
2018130002.tif 000002
【特許請求の範囲】
【請求項１】
第１の回路基板と、複数の第２の回路基板と、前記第１の回路基板と前記複数の第２の回路基板のそれぞれとを接続する複数のコネクタと、を備える電力供給システムであって、
前記第１の回路基板は、
電源回路と、
自電子ヒューズの第１の端子における電圧に基づいて前記電源回路から供給される電力を前記第２の回路基板に供給するとともに、自電子ヒューズの内部回路に流れる電流の大きさに基づいて自電子ヒューズの第２の端子において所定の信号を発生させる電子ヒューズと、
を備え、
前記第２の回路基板は、
前記電源回路から供給される電力を消費する電力消費回路と、
前記電子ヒューズが前記第２の端子において発生させる所定の信号に応じて、第１の接続状態から第２の接続状態に変化した場合に前記第２の接続状態を保持するスイッチと、
を備える電力供給システム。
【請求項２】
前記スイッチは、
不揮発性の記憶領域を備え、前記電子ヒューズが発生させた前記所定の信号に応じた値を保持することによって、前記第１の接続状態から前記第２の接続状態に変化した場合に前記第２の接続状態を保持する、
請求項１に記載の電力供給システム。
【請求項３】
前記第１の接続状態は、開放状態であり、
前記第２の接続状態は、短絡状態である、
請求項１または請求項２に記載の電力供給システム。
【請求項４】
前記短絡状態は、
前記第１の端子とグラウンドとを短絡する状態である、
請求項３に記載の電力供給システム。
【請求項５】
前記短絡状態は、
前記第１の端子と電源の出力端子とを短絡する状態である、
請求項３に記載の電力供給システム。
【請求項６】
電源回路から供給される電力を消費する電力消費回路と、
所定の信号に応じて、第１の接続状態から第２の接続状態に変化した場合に前記第２の接続状態を保持するスイッチと、
を備える回路基板。
【請求項７】
電源回路及び電子ヒューズを備える第１の回路基板と、電力消費回路及びスイッチを備える複数の第２の回路基板と、前記第１の回路基板と前記複数の第２の回路基板のそれぞれとを接続する複数のコネクタと、を備える電力供給システムの制御方法であって、
自電子ヒューズの第１の端子における電圧に基づいて前記電源回路から供給される電力を前記第２の回路基板に供給するとともに、自電子ヒューズの内部回路に流れる電流の大きさに基づいて自電子ヒューズの第２の端子において所定の信号を発生させることと、
前記電源回路から供給される電力を消費することと、
前記電子ヒューズが前記第２の端子において発生させる所定の信号に応じて、第１の接続状態から第２の接続状態に変化した場合、前記第２の接続状態を保持することと、
を含む電力供給システムの制御方法。
【発明の詳細な説明】
【技術分野】
【０００１】
本発明は、電力供給システム、回路基板及び電力供給システムの制御方法に関する。
【背景技術】
【０００２】
さまざまな電気機器が普及しており、それらの電気機器には電源回路が搭載されている場合がある。
特許文献１及び特許文献２には、関連する技術として、電源回路から回路に過電流が供給された場合にその過電流を遮断する技術が記載されている。
【先行技術文献】
【特許文献】
【０００３】
【特許文献１】特開２０１６−０６０４２７号公報
【特許文献２】特開２０００−０４１３３０号公報
【発明の概要】
【発明が解決しようとする課題】
【０００４】
ところで、電力供給システムにおいて、電源回路から供給される電力を消費する複数の電力消費回路（負荷）のうちのいくつかに不具合が発生し、電源回路から不具合が発生した電力消費回路に大電流が流れる場合がある。そのような場合、無駄な電力を消費しないために直ちに電力消費回路に流れる大電流を遮断するとともに、不具合の発生していない電力消費回路を動作させたまま不具合の発生した電力消費回路を正常に動作する電力消費回路に交換できることが望まれていることがある。
【０００５】
本発明は、上記の課題を解決することのできる電力供給システム、回路基板及び電力供給システムの制御方法を提供することを目的としている。
【課題を解決するための手段】
【０００６】
上記目的を達成するために、本発明の一態様は、第１の回路基板と、複数の第２の回路基板と、前記第１の回路基板と前記複数の第２の回路基板のそれぞれとを接続する複数のコネクタと、を備える電力供給システムであって、前記第１の回路基板は、電源回路と、自電子ヒューズの第１の端子における電圧に基づいて前記電源回路から供給される電力を前記第２の回路基板に供給するとともに、自電子ヒューズの内部回路に流れる電流の大きさに基づいて自電子ヒューズの第２の端子において所定の信号を発生させる電子ヒューズと、を備え、前記第２の回路基板は、前記電源回路から供給される電力を消費する電力消費回路と、前記電子ヒューズが前記第２の端子において発生させる所定の信号に応じて、第１の接続状態から第２の接続状態に変化した場合、前記第２の接続状態を保持するスイッチと、を備える電力供給システムである。
【０００７】
また、本発明の別の態様は、電源回路から供給される電力を消費する電力消費回路と、所定の信号に応じて、第１の接続状態から第２の接続状態に変化した場合に前記第２の接続状態を保持するスイッチと、を備える回路基板である。
【０００８】
また、本発明の別の態様は、電源回路及び電子ヒューズを備える第１の回路基板と、電力消費回路及びスイッチを備える複数の第２の回路基板と、前記第１の回路基板と前記複数の第２の回路基板のそれぞれとを接続する複数のコネクタと、を備える電力供給システムの制御方法であって、自電子ヒューズの第１の端子における電圧に基づいて前記電源回路から供給される電力を前記第２の回路基板に供給するとともに、自電子ヒューズの内部回路に流れる電流の大きさに基づいて自電子ヒューズの第２の端子において所定の信号を発生させることと、前記電源回路から供給される電力を消費することと、前記電子ヒューズが前記第２の端子において発生させる所定の信号に応じて、第１の接続状態から第２の接続状態に変化した場合、前記第２の接続状態を保持することと、を含む電力供給システムの制御方法である。
【発明の効果】
【０００９】
本発明によれば、電力供給システムにおいて、電源回路から供給される電力を消費する複数の電力消費回路（負荷）のうちのいくつかに不具合が発生し、電源回路から不具合が発生した電力消費回路に過電流が流れる場合に、直ちに電力消費回路に流れる過電流を遮断するとともに、不具合の発生していない電力消費回路を動作させたまま、不具合の発生した電力消費回路を正常に動作する代わりの電力消費回路に交換することができる。
【図面の簡単な説明】
【００１０】
【図１】本発明の一実施形態による電力供給システムの構成を示す図である。
【図２】本発明の一実施形態による電力供給システムの処理フローを示す図である。
【図３】本発明の実施形態による最小構成の電力供給システム１を示す図である。
【図４】本発明の別の実施形態による電力供給システムの構成を示す第１の図である。
【図５】本発明の別の実施形態による電力供給システムの構成を示す第２の図である。
【発明を実施するための形態】
【００１１】
＜実施形態＞
本発明の一実施形態による電力供給システム１の構成について説明する。
本発明の一実施形態による電力供給システム１は、図１に示すように、コネクタ１０ａ、１０ｂ、１０ｃと、モジュール２０と、モジュール３０ａ、３０ｂ、３０ｃと、を備える。
以下、コネクタ１０ａ、１０ｂ、１０ｃを総称してコネクタ１０と呼ぶ。また、モジュール３０ａ、３０ｂ、３０ｃを総称してモジュール３０と呼ぶ。
【００１２】
コネクタ１０ａは、モジュール２０とモジュール３０ａとを接続する。コネクタ１０ａは、モジュール２０から受け取る電力ＰＷａをモジュール３０ａに出力する。また、コネクタ１０ａは、モジュール２０のイネーブル端子ＥＮから受け取るイネーブル信号ＳＧｅｎａをモジュール３０ａに出力する。また、コネクタ１０ａは、モジュール２０のフォルト端子Ｆａｕｌｔから受け取るフォルト信号ＳＧｆａｕｌｔａをモジュール３０ａに出力する。
【００１３】
コネクタ１０ｂは、モジュール２０とモジュール３０ｂとを接続する。コネクタ１０ｂは、モジュール２０から受け取る電力ＰＷｂをモジュール３０ｂに出力する。また、コネクタ１０ｂは、モジュール２０のイネーブル端子ＥＮから受け取るイネーブル信号ＳＧｅｎｂをモジュール３０ｂに出力する。また、コネクタ１０ｂは、モジュール２０のフォルト端子Ｆａｕｌｔから受け取るフォルト信号ＳＧｆａｕｌｔｂをモジュール３０ｂに出力する。
【００１４】
コネクタ１０ｃは、モジュール２０とモジュール３０ｃとを接続する。コネクタ１０ｃは、モジュール２０から受け取る電力ＰＷｃをモジュール３０ｃに出力する。また、コネクタ１０ｃは、モジュール２０のイネーブル端子ＥＮから受け取るイネーブル信号ＳＧｅｎｃをモジュール３０ｃに出力する。また、コネクタ１０ｃは、モジュール２０のフォルト端子Ｆａｕｌｔから受け取るフォルト信号ＳＧｆａｕｌｔｃをモジュール３０ｃに出力する。
【００１５】
モジュール２０は、第１の回路基板２０１と、電源回路２０２と、電子ヒューズ２０３ａ、２０３ｂ、２０３ｃと、抵抗２０４ａ、２０４ｂ、２０４ｃと、を備える。
以下、電子ヒューズ２０３ａ、２０３ｂ、２０３ｃを総称して電子ヒューズ２０３と呼ぶ。また、抵抗２０４ａ、２０４ｂ、２０４ｃを総称して抵抗２０４と呼ぶ。
【００１６】
第１の回路基板２０１は、電源回路２０２と、電子ヒューズ２０３のそれぞれと、抵抗２０４のそれぞれと、を搭載する。
【００１７】
電源回路２０２は、電子ヒューズ２０３ａ及びコネクタ１０ａを介して、後述する第２の回路基板３０１ａに電力を供給する。また、電源回路２０２は、電子ヒューズ２０３ｂ及びコネクタ１０ｂを介して、後述する第２の回路基板３０１ｂに電力を供給する。また、電源回路２０２は、電子ヒューズ２０３ｃ及びコネクタ１０ｃを介して、後述する第２の回路基板３０１ｃに電力を供給する。
【００１８】
電子ヒューズ２０３のそれぞれは、自電子ヒューズ２０３の内部回路を電気的に遮断するヒューズであり、一度内部回路が切断しても、自電子ヒューズ２０３に供給される電力がオフ状態になると、再度内部回路が電気的に接続される状態に戻るという特徴を有する。
電子ヒューズ２０３の具体例としては、例えば、テキサスインスツルメンツ社製の“ＴＰＳ２６６００”、アナログデバイセズ社製の“ＡＤＧ８４１”などが挙げられる。
【００１９】
電子ヒューズ２０３ａは、モジュール３０ａを過電流から保護するためのヒューズである。電子ヒューズ２０３ａは、入力端子ＩＮと、出力端子ＯＵＴと、イネーブル端子ＥＮと、フォルト端子Ｆａｕｌｔと、を備える。
電子ヒューズ２０３ａは、内部回路において許容電流を超える電流、すなわち、過電流を検出した場合、過電流を検出したことを示すフォルト信号ＳＧｆａｕｌｔａをフォルト端子Ｆａｕｌｔから出力する。
また、電子ヒューズ２０３ａは、自電子ヒューズ２０３ａのイネーブル端子ＥＮにおける電圧がアサート状態、すなわち、動作可能状態を示すＨｉｇｈレベルの電圧である場合、入力端子ＩＮから出力端子ＯＵＴまでを導通状態にする。また、電子ヒューズ２０３ａは、自電子ヒューズ２０３ａのイネーブル端子ＥＮにおける電圧がディアサート状態、すなわち、動作禁止状態を示すＬｏｗレベルの電圧である場合、入力端子ＩＮと出力端子ＯＵＴとの間で内部回路が遮断される。この入力端子ＩＮと出力端子ＯＵＴとの間で内部回路が遮断された状態で、電源回路２０２から電子ヒューズ２０３ａへの電力ＰＷａの供給が停止され、その後、電力ＰＷａの供給が再開されると、電子ヒューズ２０３ａは、入力端子ＩＮと出力端子ＯＵＴとの間が電気的に接続される。
【００２０】
電子ヒューズ２０３ｂは、モジュール３０ｂを過電流から保護するためのヒューズである。電子ヒューズ２０３ｂは、入力端子ＩＮと、出力端子ＯＵＴと、イネーブル端子ＥＮと、フォルト端子Ｆａｕｌｔと、を備える。
電子ヒューズ２０３ｂは、内部回路において許容電流を超える電流、すなわち、過電流を検出した場合、過電流を検出したことを示すフォルト信号ＳＧｆａｕｌｔｂをフォルト端子Ｆａｕｌｔから出力する。
また、電子ヒューズ２０３ｂは、自電子ヒューズ２０３ｂのイネーブル端子ＥＮにおける電圧がアサート状態、すなわち、動作可能状態を示すＨｉｇｈレベルの電圧である場合、入力端子ＩＮから出力端子ＯＵＴまでを導通状態にする。また、電子ヒューズ２０３ｂは、自電子ヒューズ２０３ｂのイネーブル端子ＥＮにおける電圧がディアサート状態、すなわち、動作禁止状態を示すＬｏｗレベルの電圧である場合、入力端子ＩＮと出力端子ＯＵＴとの間で内部回路が遮断される。この入力端子ＩＮと出力端子ＯＵＴとの間で内部回路が遮断された状態で、電源回路２０２から電子ヒューズ２０３ｂへの電力ＰＷｂの供給が停止され、その後、電力ＰＷｂの供給が再開されると、電子ヒューズ２０３ｂは、入力端子ＩＮと出力端子ＯＵＴとの間が電気的に接続される。
【００２１】
電子ヒューズ２０３ｃは、モジュール３０ｃを過電流から保護するためのヒューズである。電子ヒューズ２０３ｃは、入力端子ＩＮと、出力端子ＯＵＴと、イネーブル端子ＥＮと、フォルト端子Ｆａｕｌｔと、を備える。
電子ヒューズ２０３ｃは、内部回路において許容電流を超える電流、すなわち、過電流を検出した場合、過電流を検出したことを示すフォルト信号ＳＧｆａｕｌｔｃをフォルト端子Ｆａｕｌｔから出力する。
また、電子ヒューズ２０３ｃは、自電子ヒューズ２０３ｃのイネーブル端子ＥＮにおける電圧がアサート状態、すなわち、動作可能状態を示すＨｉｇｈレベルの電圧である場合、入力端子ＩＮから出力端子ＯＵＴまでを導通状態にする。また、電子ヒューズ２０３ｃは、自電子ヒューズ２０３ｃのイネーブル端子ＥＮにおける電圧がディアサート状態、すなわち、動作禁止状態を示すＬｏｗレベルの電圧である場合、入力端子ＩＮと出力端子ＯＵＴとの間で内部回路が遮断される。この入力端子ＩＮと出力端子ＯＵＴとの間で内部回路が遮断された状態で、電源回路２０２から電子ヒューズ２０３ｃへの電力ＰＷｃの供給が停止され、その後、電力ＰＷｃの供給が再開されると、電子ヒューズ２０３ｃは、入力端子ＩＮと出力端子ＯＵＴとの間が電気的に接続される。
【００２２】
抵抗２０４ａには、後述するスイッチ３０３ａが開放状態である場合、電流が流れない。そのため、スイッチ３０３ａが開放状態である場合、抵抗２０４ａは、電子ヒューズ２０３ａのイネーブル端子ＥＮをプルアップ、すなわち、イネーブル端子ＥＮをＨｉｇｈレベルの電圧にする。また、抵抗２０４ａは、スイッチ３０３ａが短絡状態である場合には、電流を流す。このとき、抵抗２０４ａにおいて電圧降下が発生するとともに、電子ヒューズ２０３ａのイネーブル端子ＥＮは、グラウンドＧＮＤ（Ｌｏｗレベルの電圧）に短絡される。
【００２３】
抵抗２０４ｂには、後述するスイッチ３０３ｂが開放状態である場合、電流が流れない。そのため、スイッチ３０３ｂが開放状態である場合、抵抗２０４ｂは電子ヒューズ２０３ｂのイネーブルＥＮ端子をプルアップ、すなわち、イネーブル端子ＥＮをＨｉｇｈレベルの電圧にする。また、抵抗２０４ｂは、スイッチ３０３ｂが短絡状態である場合には、電流を流す。このとき、抵抗２０４ｂにおいて電圧降下が発生するとともに、電子ヒューズ２０３ｂのイネーブル端子ＥＮは、グラウンドＧＮＤ（Ｌｏｗレベルの電圧）に短絡される。
【００２４】
抵抗２０４ｃには、後述するスイッチ３０３ｃが開放状態である場合、電流が流れない。そのため、スイッチ３０３ｃが開放状態である場合、抵抗２０４ｃは、電子ヒューズ２０３ｃのイネーブルＥＮ端子をプルアップ、すなわち、イネーブル端子ＥＮをＨｉｇｈレベルの電圧にする。また、抵抗２０４ｃは、スイッチ３０３ｃが短絡状態である場合には、電流を流す。このとき、抵抗２０４ｃにおいて電圧降下が発生するとともに、電子ヒューズ２０３ｃのイネーブル端子ＥＮは、グラウンドＧＮＤ（Ｌｏｗレベルの電圧）に短絡される。
【００２５】
モジュール３０ａは、第２の回路基板３０１ａと、電力消費回路３０２ａと、スイッチ３０３ａと、を備える。
第２の回路基板３０１ａは、電力消費回路３０２ａと、スイッチ３０３ａと、を搭載する。
電力消費回路３０２ａは、電源回路２０２から供給される電力で動作する回路であり、電源回路２０２にとって電源回路２０２から供給される電力を消費する負荷である。電力消費回路３０２ａは、例えば、ＣＰＵ、メモリなどの消費電力の大きい回路をまとめたものである。
【００２６】
スイッチ３０３ａは、不揮発性の記憶領域を有しており、自スイッチ３０３ａへの電力の供給が停止された状態でも、直前の値を保持する。スイッチ３０３ａは、１つの端子がグラウンドＧＮＤに接続される。また、スイッチ３０３ａは、別の１つの端子がコネクタ１０ａを介して電子ヒューズ２０３ａのイネーブル端子ＥＮに接続される。
スイッチ３０３ａは、電子ヒューズ２０３ａのフォルト端子Ｆａｕｌｔからの信号ＳＧｆａｕｌｔａを受信しない初期状態では、グラウンドＧＮＤと電子ヒューズ２０３ａのイネーブル端子ＥＮとの間を開放状態にする。また、スイッチ３０３ａは、電子ヒューズ２０３ａのフォルト端子Ｆａｕｌｔからのフォルト信号ＳＧｆａｕｌｔａを受信した状態では、グラウンドＧＮＤと電子ヒューズ２０３ａのイネーブル端子ＥＮとの間を短絡状態にする。なお、スイッチ３０３ａは、自スイッチ３０３ａに電力が供給されていない場合でも不揮発性の記憶領域に直前の値を保持しているため、一度電子ヒューズ２０３ａのフォルト端子Ｆａｕｌｔからフォルト信号ＳＧｆａｕｌｔａを受信すると、それ以降はグラウンドＧＮＤと電子ヒューズ２０３ａのイネーブル端子ＥＮとの間を常に短絡状態に保持する。
【００２７】
モジュール３０ｂは、第２の回路基板３０１ｂと、電力消費回路３０２ｂと、スイッチ３０３ｂと、を備える。
第２の回路基板３０１ｂは、電力消費回路３０２ｂと、スイッチ３０３ｂと、を搭載する。
電力消費回路３０２ｂは、電源回路２０２から供給される電力で動作する回路であり、電源回路２０２にとって電源回路２０２から供給される電力を消費する負荷である。
【００２８】
スイッチ３０３ｂは、不揮発性の記憶領域を有しており、自スイッチ３０３ｂへの電力の供給が停止された状態でも、直前の値を保持する。スイッチ３０３ｂは、１つの端子がグラウンドＧＮＤに接続される。また、スイッチ３０３ｂは、別の１つの端子がコネクタ１０ｂを介して電子ヒューズ２０３ｂのイネーブル端子ＥＮに接続される。
スイッチ３０３ｂは、電子ヒューズ２０３ｂのフォルト端子Ｆａｕｌｔからの信号ＳＧｆａｕｌｔｂを受信しない初期状態では、グラウンドＧＮＤと電子ヒューズ２０３ｂのイネーブル端子ＥＮとの間を開放状態にする。また、スイッチ３０３ｂは、電子ヒューズ２０３ｂのフォルト端子Ｆａｕｌｔからのフォルト信号ＳＧｆａｕｌｔｂを受信した状態では、グラウンドＧＮＤと電子ヒューズ２０３ｂのイネーブル端子ＥＮとの間を短絡状態にする。なお、スイッチ３０３ｂは、自スイッチ３０３ｂに電力が供給されていない場合でも不揮発性の記憶領域に直前の値を保持しているため、一度電子ヒューズ２０３ｂのフォルト端子Ｆａｕｌｔからフォルト信号ＳＧｆａｕｌｔｂを受信すると、それ以降はグラウンドＧＮＤと電子ヒューズ２０３ｂのイネーブル端子ＥＮとの間を常に短絡状態に保持する。
【００２９】
モジュール３０ｃは、第２の回路基板３０１ｃと、電力消費回路３０２ｃと、スイッチ３０３ｃと、を備える。
第２の回路基板３０１ｃは、電力消費回路３０２ｃと、スイッチ３０３ｃと、を搭載する。
電力消費回路３０２ｃは、電源回路２０２から供給される電力で動作する回路であり、電源回路２０２にとって電源回路２０２から供給される電力を消費する負荷である。
【００３０】
スイッチ３０３ｃは、不揮発性の記憶領域を有しており、自スイッチ３０３ｃへの電力の供給が遮断された状態でも、直前の値を保持する。スイッチ３０３ｃは、１つの端子がグラウンドＧＮＤに接続される。また、スイッチ３０３ｃは、別の１つの端子がコネクタ１０ｃを介して電子ヒューズ２０３ｃのイネーブル端子ＥＮに接続される。
スイッチ３０３ｃは、電子ヒューズ２０３ｃのフォルト端子Ｆａｕｌｔからの信号ＳＧｆａｕｌｔｃを受信しない初期状態では、グラウンドＧＮＤと電子ヒューズ２０３ｃのイネーブル端子ＥＮとの間を開放状態にする。また、スイッチ３０３ｃは、電子ヒューズ２０３ｃのフォルト端子Ｆａｕｌｔからのフォルト信号ＳＧｆａｕｌｔｃを受信した状態では、グラウンドＧＮＤと電子ヒューズ２０３ｃのイネーブル端子ＥＮとの間を短絡状態にする。なお、スイッチ３０３ｃは、自スイッチ３０３ｃに電力が供給されていない場合でも不揮発性の記憶領域に直前の値を保持しているため、一度電子ヒューズ２０３ｃのフォルト端子Ｆａｕｌｔからフォルト信号ＳＧｆａｕｌｔｃを受信すると、それ以降はグラウンドＧＮＤと電子ヒューズ２０３ｃのイネーブル端子ＥＮとの間を常に短絡状態に保持する。
【００３１】
次に、本発明の一実施形態による電力供給システム１の処理について説明する。
ここでは、複数の電力消費回路３０２のうち電力消費回路３０２ａに不具合が発生し、過電流が流れる場合の電力供給システム１の処理について、図２に示す電力供給システム１の処理フローを用いて説明する。
以下、スイッチ３０３ａ、３０３ｂ、３０３ｃを総称してスイッチ３０３と呼ぶ。
【００３２】
電力消費回路３０２ａに不具合が発生し、過電流が流れる（ステップＳ１）。電力消費回路３０２ａに過電流が流れると、電子ヒューズ２０３ａは、内部回路でその過電流を検出する（ステップＳ２）。電子ヒューズ２０３ａは、過電流を検出すると、フォルト端子Ｆａｕｌｔからフォルト信号ＳＧｆａｕｌｔａを出力する（ステップＳ３）。
【００３３】
スイッチ３０３ａは、電子ヒューズ２０３ａからフォルト信号ＳＧｆａｕｌｔａを受け取る。スイッチ３０３ａは、フォルト信号ＳＧｆａｕｌｔａを受け取ると、グラウンドＧＮＤと電子ヒューズ２０３ａのイネーブル端子ＥＮとの間を短絡状態にする（ステップＳ４）。このとき、スイッチ３０３ａの記憶領域は、フォルト信号ＳＧｆａｕｌｔａを受けたときの値（例えば、Ｈｉｇｈレベルを示す“１”）を記憶する（ステップＳ５）。この記憶によって、グラウンドＧＮＤと電子ヒューズ２０３ａのイネーブル端子ＥＮとの間の短絡状態が保持される。
【００３４】
グラウンドＧＮＤと電子ヒューズ２０３ａのイネーブル端子ＥＮとの間が短絡状態になると、抵抗２０４ａに電流が流れる。抵抗２０４ａに電流が流れると、抵抗２０４ａにおいて電圧降下が発生するとともに（ステップＳ６）、電子ヒューズ２０３ａのイネーブル端子ＥＮは、ディアサート状態となる電圧、すなわち、グラウンドＧＮＤ（Ｌｏｗレベルの電圧）に短絡される（ステップＳ７）。
【００３５】
電子ヒューズ２０３ａは、自電子ヒューズ２０３ａのイネーブル端子ＥＮがグラウンドＧＮＤに短絡されると、入力端子ＩＮと出力端子ＯＵＴとの間で内部回路を電気的に遮断する（ステップＳ８）。
【００３６】
入力端子ＩＮと出力端子ＯＵＴとの間で電子ヒューズ２０３ａの内部回路が電気的に遮断されると、電力消費回路３０２ａには、電力が供給されない。すなわち、電力消費回路３０２ａには、過電流が流れず、電力消費回路３０２ａは、過電流保護される（ステップＳ９）。
【００３７】
ここで、電子ヒューズ２０３のそれぞれと、電力消費回路３０２のそれぞれと、スイッチ３０３ａ、３０３ｂ、３０３ｃへの電源回路２０２からの電力の供給が一度停止され、その後、電力の供給が再開されたとする（ステップＳ１０）。
このとき、スイッチ３０３ａの記憶領域は、ステップＳ５の処理においてフォルト信号ＳＧｆａｕｌｔａを受けたときの値を記憶しており、グラウンドＧＮＤと電子ヒューズ２０３ａのイネーブル端子ＥＮとの間の短絡状態が保持されている。つまり、不具合が発生した電力消費回路３０２ａは、過電流保護されたままである（ステップＳ１１）。
【００３８】
また、スイッチ３０３ａ以外のスイッチ３０３のそれぞれについてはここまで記載していないが、スイッチ３０３ａ以外のスイッチ３０３のそれぞれの記憶領域も、スイッチ３０３ａの記憶領域と同様にフォルト信号に応じた値（フォルト信号ＳＧｆａｕｌｔａの場合とは異なる、すなわち、過電流が流れていないことを示す、例えば、Ｌｏｗレベルを示す“０”）を記憶する。そのため、スイッチ３０３ａ以外のスイッチ３０３のそれぞれは、グラウンドＧＮＤと電子ヒューズ２０３ａのイネーブル端子ＥＮとの間の開放状態を保持している。つまり、電力消費回路３０２ａ以外の電力消費回路３０２のそれぞれには、電源回路２０２から電力が供給される（ステップＳ１２）。
【００３９】
上記のステップＳ１１とステップＳ１２とからわかるように、電力供給システム１において、不具合が発生し過電流が流れた電力消費回路３０２ａは、常に過電流保護され、電力消費回路３０２ａ以外の電力消費回路３０２のそれぞれは、電力が供給される間、通常の動作を行う。
したがって、正常動作しているモジュール３０ｂ、３０ｃを動作させたまま、不具合が発生し過電流が流れた電力消費回路３０２ａを備えるモジュール３０ａのみを交換することができる。その際、直前の状態を保持するスイッチ３０３ａの接続状態を元の接続状態に戻す必要があるため、スイッチ３０３ａを電力消費回路３０２ａと同一の回路基板に設けている。
こうすることで、不具合が発生し過電流が流れた電力消費回路３０２ａをモジュール３０ａごと一度に交換することができる。
【００４０】
以上、本発明の一実施形態による電力供給システム１について説明した。
上述の本発明の一実施形態による電力供給システム１は、第１の回路基板２０１と、第２の回路基板３０１ａ、３０１ｂ、３０１ｃと、第１の回路基板２０１と第２の回路基板３０１ａ、３０１ｂ、３０１ｃのそれぞれとを接続する複数のコネクタ１０と、を備える電力供給システムである。第１の回路基板２０１は、電源回路２０２と、イネーブル端子ＥＮ（第１の端子）における電圧に基づいて電源回路２０２から供給される電力を回路基板３０１ａ、３０１ｂ、３０１ｃに供給するとともに、自電子ヒューズ２０３の内部回路に流れる電流の大きさに基づいてフォルト端子Ｆａｕｌｔ（第２の端子）において所定の信号を発生させる電子ヒューズ２０３と、を備える。回路基板３０１ａ、３０１ｂ、３０１ｃのそれぞれは、電源回路２０２から供給される電力を消費する電力消費回路３０２と、電子ヒューズ２０３がフォルト端子Ｆａｕｌｔにおいて発生させるフォルト信号（所定の信号）に応じて、現在の接続状態から別の接続状態に変化した場合、別の接続状態を保持するスイッチ３０３と、を備える。
このようにすれば、電力供給システム１において、電源回路２０２から供給される電力を消費する複数の電力消費回路３０２（負荷）のうちのいくつかに不具合が発生し、電源回路２０２から不具合が発生した電力消費回路３０２に過電流が流れる場合に、無駄な電力を消費しないために直ちに電力消費回路３０２に流れる過電流を遮断するとともに、不具合の発生していない電力消費回路３０２を動作させたまま、不具合の発生した電力消費回路３０２を正常に動作する代わりの電力消費回路に交換することができる。
【００４１】
次に、本発明の実施形態による最小構成の電力供給システム１について説明する。
本発明の実施形態による最小構成の電力供給システム１は、図３に示すように、第１の回路基板２０１と、第２の回路基板３０１ａ、３０１ｂと、第１の回路基板２０１と第２の回路基板３０１ａとを接続するコネクタ１０ａと、第１の回路基板２０１と第２の回路基板３０１ｂとを接続するコネクタ１０ｂと、を備える電力供給システムである。第１の回路基板２０１は、電源回路２０２と、イネーブル端子ＥＮ（第１の端子）における電圧に基づいて電源回路２０２から供給される電力を第２の回路基板３０１ａ、３０１ｂに供給するとともに、自電子ヒューズ２０３の内部回路に流れる電流の大きさに基づいてフォルト端子Ｆａｕｌｔ（第２の端子）において所定の信号を発生させる電子ヒューズ２０３と、を備える。第２の回路基板３０１ａ、３０１ｂのそれぞれは、電源回路２０２から供給される電力を消費する電力消費回路３０２と、電子ヒューズ２０３がフォルト端子Ｆａｕｌｔにおいて発生させるフォルト信号（所定の信号）に応じて、現在の接続状態から別の接続状態に変化した場合、別の接続状態を保持するスイッチ３０３と、を備える。
【００４２】
なお、本発明の実施形態における電子ヒューズ２０３は、イネーブル端子ＥＮがプルダウンされているときに動作可能状態となるものであってもよい。その場合、電力供給システム１は図４に示すように、抵抗２０４は、プルダウン抵抗となる。また、スイッチ３０３は、電子ヒューズ２０３からフォルト信号を受け取と、電源の出力端子と電子ヒューズ２０３のイネーブル端子ＥＮとの間が短絡状態になる。
【００４３】
なお、本発明の実施形態における電子ヒューズ２０３は、内部回路が過電流を検出した場合に、イネーブル端子ＥＮの状態にかかわらず、入力端子ＩＮと出力端子ＯＵＴとの間で内部回路が遮断されるものであってもよい。
【００４４】
なお、本発明の実施形態における電力供給システム１は、図５に示すように、電源回路２０２を複数備えていてもよい。
【００４５】
なお、本発明の実施形態における記憶部や記憶装置（レジスタを含む）は、適切な情報の送受信が行われる範囲においてどこに備えられていてもよい。また、記憶部や記憶装置は、適切な情報の送受信が行われる範囲において複数存在しデータを分散して記憶していてもよい。
【００４６】
なお、本発明の実施形態における処理フローは、適切な処理が行われる範囲において、処理の順番が入れ替わってもよい。
【００４７】
本発明のいくつかの実施形態を説明したが、これらの実施形態は、例として提示したものであり、発明の範囲を限定するものではない。また、発明の要旨を逸脱しない範囲で、種々の省略、置き換え、変更を行うことができるものである。
【符号の説明】
【００４８】
１・・・電力供給システム
１０、１０ａ、１０ｂ、１０ｃ・・・コネクタ
２０、３０、３０ａ、３０ｂ、３０ｃ・・・モジュール
２０１・・・第１の回路基板
３０１ａ、３０１ｂ、３０１ｃ・・・第２の回路基板
２０２・・・電源回路
２０３、２０３ａ、２０３ｂ、２０３ｃ・・・電子ヒューズ
２０４、２０４ａ、２０４ｂ、２０４ｃ・・・抵抗
３０２ａ、３０２ｂ、３０２ｃ・・・電力消費回路
３０３ａ、３０３ｂ、３０３ｃ・・・スイッチ
【図１】
2018130002.tif 000003
【図２】
2018130002.tif 000004
【図３】
2018130002.tif 000005
【図４】
2018130002.tif 000006
【図５】
2018130002.tif 000007